(57)【要約】【課題】製造が容易であり、且つ内部に収納した帯状ケーブルが脱落することを抑制することのできるケーブル保護案内部材を提供する。【解決手段】ケーブル保護案内部材１０のリンク枠体２０は、横板２４と所定距離で対向して左リンクプレート２１から右リンクプレート２２の方向へ張り出す板状の第１部分２７と、横板２４と所定距離で対向して右リンクプレート２２から左リンクプレート２１の方向へ張り出す第２部分２８であって、第１部分２７との間に隙間Ｓを形成する第２部分２８とを含む。リンク枠体２０内の空間においてリンクプレート２１，２２と横板２４とが交差する交差線Ｌ１，Ｌ２から、第１部分２７及び第２部分２８の張り出し方向の先端縁において交差線Ｌ１，Ｌ２から最も離れた所定点Ｐまでの長さが、ＦＰＣの幅Ｗ１と等しく設定されている。【選択図】      図２
2015059582.tif 000002
【特許請求の範囲】
【請求項１】
離間配置された左右１対のリンクプレートと前記左右１対のリンクプレート間に横架された横板とを含む矩形状のリンク枠体が、前記リンクプレートに設けた連結ピンと連結ピン孔とによって相互に回転可能に多数連結され、前記リンク枠体が連結して形成された空間内に収納した帯状ケーブルを保護及び案内するケーブル保護案内部材であって、
前記リンク枠体は、前記横板と所定距離で対向して左側の前記リンクプレートから右側の前記リンクプレートの方向へ張り出す板状の第１部分と、前記横板と前記所定距離で対向して右側の前記リンクプレートから左側の前記リンクプレートの方向へ張り出す第２部分であって、前記第１部分との間に所定の隙間を形成する前記第２部分とを含み、
前記空間内において前記リンクプレートと前記横板とが交差する交差線から、前記第１部分及び前記第２部分の張り出し方向の先端縁において前記交差線から最も離れた所定点までの長さが、前記帯状ケーブルの幅と等しく設定されていることを特徴とするケーブル保護案内部材。
【請求項２】
前記第１部分及び前記第２部分のうち前記所定点を含む一方には、前記所定点よりも若干張り出した張出部が設けられている請求項１に記載のケーブル保護案内部材。
【請求項３】
前記第１部分及び前記第２部分は、前記ケーブル保護案内部材が屈曲した場合の外周側に設けられている請求項１又は２に記載のケーブル保護案内部材。
【請求項４】
前記左右１対のリンクプレートの間隔は、前記帯状ケーブルの幅よりも若干広く設定されている請求項１〜３のいずれか１項に記載のケーブル保護案内部材。
【請求項５】
前記左右１対のリンクプレートと前記横板とが交差する一対の交差線のうち、前記所定の隙間から遠い方の交差線に前記帯状ケーブルの幅方向の一端を当て他端を前記所定点に当てて傾いた状態において、前記第１部分及び前記第２部分のうち前記所定点を含まない一方は、前記帯状ケーブルの近傍まで張り出している請求項１〜４のいずれか１項に記載のケーブル保護案内部材。
【請求項６】
前記帯状ケーブルはＦＰＣである請求項１〜５のいずれか１項に記載のケーブル保護案内部材。
【発明の詳細な説明】
【技術分野】
【０００１】
本発明は、内部に収納した帯状ケーブルを保護及び案内するケーブル保護案内部材に関する。
【背景技術】
【０００２】
従来、この種のケーブル保護案内部材を構成する各部品に、それぞれ位置をずらしてケーブル挿入用の開口を形成したものがある（特許文献１参照）。特許文献１に記載のものでは、開口を通じて押し込まれたケーブルが保護案内部材から脱落しないように、サインカーブ状の仮想の曲線上に各開口が配置されている。
【先行技術文献】
【特許文献】
【０００３】
【特許文献１】特許第４０２９４１５号公報
【発明の概要】
【発明が解決しようとする課題】
【０００４】
ところで、特許文献１に記載のケーブル保護案内部材では、開口位置の違いに応じて各部品の形状を変える必要がある。このため、例えば樹脂成形で部品を成形する場合には、複数種類の金型を用意する必要があり、金型費用が増加したり、複数種類の金型を扱う手間が増えたりする。さらに、順序通りに開口位置がずれるように各部品を組み付ける必要があり、生産性が低下したり、誤組み付けが発生したりするおそれがある。
【０００５】
また、円形断面を有するケーブルであれば、ケーブルを比較的自由に曲げることができるため、曲線上に配置された開口からケーブル挿入することができる。しかしながら、ＦＰＣ（Flexible printed circuits）等の帯状ケーブルは曲げ可能な方向が制限されるため、曲線上に配置された各開口から帯状ケーブルを挿入することが困難である。
【０００６】
本発明は、こうした課題を解決するためになされたものであり、その主たる目的は、製造が容易であり、且つ内部に収納した帯状ケーブルが脱落することを抑制することのできるケーブル保護案内部材を提供することにある。
【課題を解決するための手段】
【０００７】
本発明は、上記課題を解決するために、以下の手段を採用した。
【０００８】
第１の手段は、離間配置された左右１対のリンクプレートと前記左右１対のリンクプレート間に横架された横板とを含む矩形状のリンク枠体が、前記リンクプレートに設けた連結ピンと連結ピン孔とによって相互に回転可能に多数連結され、前記リンク枠体が連結して形成された空間内に収納した帯状ケーブルを保護及び案内するケーブル保護案内部材であって、前記リンク枠体は、前記横板と所定距離で対向して左側の前記リンクプレートから右側の前記リンクプレートの方向へ張り出す板状の第１部分と、前記横板と前記所定距離で対向して右側の前記リンクプレートから左側の前記リンクプレートの方向へ張り出す第２部分であって、前記第１部分との間に所定の隙間を形成する前記第２部分とを含み、前記空間内において前記リンクプレートと前記横板とが交差する交差線から、前記第１部分及び前記第２部分の張り出し方向の先端縁において前記交差線から最も離れた所定点までの長さが、前記帯状ケーブルの幅と等しく設定されていることを特徴とする。
【０００９】
上記構成によれば、ケーブル保護案内部材内への帯状ケーブルの挿入を、以下のように行うことができる。まず、帯状ケーブルをその幅方向の一端から、第１部分と第２部分との所定の隙間に挿入する。そして、リンク枠体が連結して形成された空間内において、リンクプレートと横板とが交差する一対の交差線のうち、所定の隙間から遠い方の交差線に帯状ケーブルの幅方向の一端を当てて傾いた状態にする。ここで、上記空間内においてリンクプレートと横板とが交差する交差線から、第１部分及び第２部分の張り出し方向の先端縁において交差線から最も離れた所定点までの長さが、帯状ケーブルの幅と等しく設定されている。このため、上記のように帯状ケーブルが傾いた状態において、帯状ケーブルの幅方向の他端が上記所定点に当たる位置となる。したがって、帯状ケーブルをわずかに押し込むことにより所定点を通過させることができ、ケーブル保護案内部材内へ帯状ケーブルを収納することができる。
【００１０】
ケーブル保護案内部材により帯状ケーブルが案内される際に、上記空間内で帯状ケーブルが動くものの、挿入時と同じように傾いた状態にならない限り、ケーブル保護案内部材から帯状ケーブルが脱落する可能性は低い。さらに、挿入時と同じように帯状ケーブルが傾いた状態になったとしても、帯状ケーブルを外側へ引っ張らない限り、ケーブル保護案内部材から帯状ケーブルが脱落する可能性は低い。したがって、ケーブル保護案内部材の内部に収納した帯状ケーブルが脱落することを抑制することができる。
【００１１】
しかも、単一形状のリンク枠体によりケーブル保護案内部材を形成することができるため、複数種類の金型を用意する必要がない。また、単一形状のリンク枠体を組み付ければよいため、生産性が低下したり、誤組み付けが発生したりすることを抑制することができる。したがって、ケーブル保護案内部材を容易に製造することができる。
【００１２】
第２の手段では、前記第１部分及び前記第２部分のうち前記所定点を含む一方には、前記所定点よりも若干張り出した張出部が設けられている。
【００１３】
上記構成によれば、第１部分及び前記第２部分のうち上記所定点を含む一方には、所定点よりも若干張り出した張出部が設けられている。このため、リンクプレートと横板との交差線に帯状ケーブルの幅方向の一端を当てて傾いた状態にした時に、帯状ケーブルの幅方向の他端が張出部に当たることとなる。張出部は所定点よりも若干張り出しているだけのため、張出部を越えるように帯状ケーブルを押し込むことにより、ケーブル保護案内部材内に帯状ケーブルを収納することができる。さらに、ケーブル保護案内部材の内部に収納した帯状ケーブルが脱落することを、張出部により効果的に抑制することができる。
【００１４】
第３の手段では、前記第１部分及び前記第２部分は、前記ケーブル保護案内部材が屈曲した場合の外周側に設けられている。
【００１５】
ケーブル保護案内部材が屈曲した状態では、内部に収容された帯状ケーブルは幅方向の中央が外周側に凸となるように反り易くなる。このため、第１部分と第２部分との所定の隙間が、ケーブル保護案内部材が屈曲した場合の内周側に設けられていると、所定の隙間から帯状ケーブルの幅方向の端部がはみ出し易くなる。
【００１６】
この点、上記構成によれば、第１部分及び第２部分、すなわち第１部分と第２部分との所定の隙間は、ケーブル保護案内部材が屈曲した場合の外周側に設けられている。このため、帯状ケーブルの幅方向の中央が凸となる方向に、所定の隙間が配置されることとなり、所定の隙間から帯状ケーブルの幅方向の端部がはみ出しにくくなる。したがって、ケーブル保護案内部材の内部に収納した帯状ケーブルが脱落することを、効果的に抑制することができる。
【００１７】
第４の手段では、前記左右１対のリンクプレートの間隔は、前記帯状ケーブルの幅よりも若干広く設定されている。
【００１８】
上記構成によれば、左右１対のリンクプレートの間隔、すなわち上記空間の横方向の幅は、帯状ケーブルの幅よりも若干広く設定されている。このため、第１の手段の効果を奏しつつ、ケーブル保護案内部材による案内に際して、帯状ケーブルに長手方向の張力が作用することを抑制することができる。さらに、リンクプレートと帯状ケーブルとの間に必要最低限の隙間を形成しているため、リンク枠体の左右方向の幅、ひいてはケーブル保護案内部材の左右方向の幅が広くなることを抑制することができる。
【００１９】
第５の手段では、前記左右１対のリンクプレートと前記横板とが交差する一対の交差線のうち、前記所定の隙間から遠い方の交差線に前記帯状ケーブルの幅方向の一端を当て他端を前記所定点に当てて傾いた状態において、前記第１部分及び前記第２部分のうち前記所定点を含まない一方は、前記帯状ケーブルの近傍まで張り出している。
【００２０】
上記構成によれば、リンクプレートと横板との交差線に帯状ケーブルの幅方向の一端を当て他端を所定点に当てて傾いた状態にした時に、第１部分及び第２部分のうち所定点を含まない一方が、帯状ケーブルに当たらないようにすることができる。さらに、その状態において、第１部分及び第２部分のうち所定点を含まない一方は、帯状ケーブルの近傍まで張り出しているため、所定の隙間を必要最低限の幅にすることができ、所定の隙間から帯状ケーブルがはみ出すことを抑制することができる。
【００２１】
第６の手段では、前記帯状ケーブルはＦＰＣである。
【００２２】
ＦＰＣは、その他の帯状ケーブルと比較して薄く形成することができ、軽量化や小形化が可能である。このため、ＦＰＣを保護及び案内するケーブル保護案内部材も、軽量化や小型化が要求される。この点、第１の手段のケーブル保護案内部材の構成を備えるため、単一形状のリンク枠体からなる簡単な構造にすることができ、軽量化や小型化が容易となる。
【図面の簡単な説明】
【００２３】
【図１】ケーブル保護案内部材を示す斜視図。
【図２】リンク枠体及びＦＰＣの正面図。
【図３】リンク枠体内にＦＰＣを収納した状態を示す正面図。
【図４】ケーブル保護案内部材によりＦＰＣを案内する状態を示す正面図。
【図５】ケーブル保護案内部材によりＦＰＣを案内する状態を示す正面図。
【図６】リンク枠体の変更例を示す正面図。
【図７】リンク枠体の他の変更例を示す正面図。
【図８】ケーブル保護案内部材の変更例を示す斜視図。
【図９】図８のリンク枠体及びＦＰＣの正面図。
【発明を実施するための形態】
【００２４】
以下、一実施形態について、図面を参照しつつ説明する。本実施形態は、ロボット等に給電や信号伝送を行うＦＰＣを、内部に収納して保護及び案内するケーブル保護案内部材として具体化している。
【００２５】
図１は、ケーブル保護案内部材１０を示す斜視図である。同図に示すように、ケーブル保護案内部材１０は、相互に回転可能に連結された多数のリンク枠体２０を備えている。
【００２６】
リンク枠体２０は、矩形状に形成されており、リンクプレート２１，２２、横板２４、第１部分２７、第２部分２８を含んでいる。リンク枠体２０は、ガラス繊維強化ポリアミド系樹脂等を材料として、射出成形により一体成形されている。
【００２７】
左右１対のリンクプレート２１，２２は、板状に形成されており、離間して平行に配置されている。左リンクプレート２１は、内プレート部分２１ａと外プレート部分２１ｂとを備えている。内プレート部分２１ａには、外側に突出する円柱状の連結ピン２１ｃが設けられている。外プレート部分２１ｂには、連結ピン２１ｃに隙間のある状態で嵌合する連結ピン孔２１ｄが形成されている。右リンクプレート２２は、左リンクプレート２１と同様の構成（内プレート部分２２ａ、外プレート部分２２ｂ、連結ピン２２ｃ、連結ピン孔２２ｄ）を備えている。
【００２８】
左リンクプレート２１と右リンクプレート２２との間には、矩形板状の横板２４が横架されている。横板２４は、ケーブル保護案内部材１０が屈曲した場合に、内周側となる位置に設けられている。
【００２９】
第１部分２７，第２部分２８は、板状に形成されており、横板２４と所定距離で対向している。第１部分２７，第２部分２８は、ケーブル保護案内部材１０が屈曲した場合に、外周側となる位置に設けられている。第１部分２７は、左リンクプレート２１から右リンクプレート２２の方向へ張り出している。第２部分２８は、右リンクプレート２２から左リンクプレート２１の方向へ張り出している。第１部分２７と第２部分２８との間には、隙間Ｓ（所定の隙間）が形成されている。
【００３０】
こうしたリンク枠体２０が連結されることにより、ケーブル保護案内部材１０の内部にはＦＰＣ（帯状ケーブル）を収納する空間が形成されている。互いに隣り合うリンク枠体２０は、上記連結ピン２１ｃと連結ピン孔２１ｄとによって、相互に回転可能に連結されている。ケーブル保護案内部材１０の一端は固定部に接続され、他端は移動部に接続される。
【００３１】
次に、第１部分２７、第２部分２８、及びＦＰＣの関係について説明する。図２は、ケーブル保護案内部材１０のリンク枠体２０及びＦＰＣの正面図である。
【００３２】
リンク枠体２０（ケーブル保護案内部材１０）内へのＦＰＣの挿入は、以下のように行う。まず、ＦＰＣをその幅方向の一端ｅ１から、第１部分２７と第２部分２８との隙間Ｓに挿入する。そして、リンク枠体２０が連結して形成された空間内において、リンクプレート２１，２２と横板２４とが交差する一対の交差線Ｌ１，Ｌ２のうち、隙間Ｓから遠い方の交差線Ｌ１にＦＰＣの幅方向の一端ｅ１を当てて傾いた状態にする。
【００３３】
ここで、上記空間内においてリンクプレート２１，２２と横板２４とが交差する交差線Ｌ１，Ｌ２から、第１部分２７及び第２部分２８の張り出し方向の先端縁において交差線Ｌ１，Ｌ２から最も離れた所定点Ｐまでの長さが、ＦＰＣの幅Ｗ１と等しく設定されている（図１も併せて参照）。このため、上記のようにＦＰＣが傾いた状態において、ＦＰＣの幅方向の他端ｅ２が所定点Ｐに当たる位置となる。詳しくは、第２部分２８の張り出し方向の先端縁において、リンク枠体２０の外側部分から交差線Ｌ１までの長さがＦＰＣの幅Ｗ１と等しく、リンク枠体２０の内側部分から交差線Ｌ１までの長さは、第２部分２８の厚みによりＦＰＣの幅Ｗ１よりも短い。さらに、所定点Ｐを含む第２部分２８には、所定点Ｐよりも若干張り出した張出部２８ａが設けられている。したがって、ＦＰＣの幅方向の他端ｅ２は、張出部２８ａに当たることとなる。なお、交差線Ｌ１から所定点Ｐまでの長さは、ＦＰＣの幅Ｗ１と略等しくなっていればよく、若干の誤差があってもよい。
【００３４】
この状態において、所定点Ｐを含まない第１部分２７は、ＦＰＣの近傍まで張り出している。このため、リンク枠体２０内へＦＰＣを挿入する際に、第１部分２７にＦＰＣが当たらないようにすることができる。さらに、隙間Ｓは、リンク枠体２０内へＦＰＣを挿入するために、必要最低限の幅になっている。
【００３５】
張出部２８ａは所定点Ｐよりも若干張り出しているだけのため、張出部２８ａを越えるようにＦＰＣを押し込む（変形させる）ことにより、リンク枠体２０内にＦＰＣを収納することができる。このとき、第１部分２７と第２部分２８との隙間Ｓが広くなっている部分から冶具等を挿入して、ＦＰＣを押し込むことができる。なお、張出部２８ａが所定点Ｐよりも張り出す幅を、第２部分２８の厚みと等しくしてもよい。
【００３６】
図３は、リンク枠体２０内にＦＰＣを収納した状態を示す正面図である。
【００３７】
同図に示すように、左リンクプレート２１と右リンクプレート２２との間隔Ｗ２、すなわちリンク枠体２０内の空間の横方向の幅は、ＦＰＣの幅Ｗ１よりも若干広く設定されている。このため、リンク枠体２０（ケーブル保護案内部材１０）とＦＰＣとは、長手方向に円滑に相対摺動可能となっている。
【００３８】
図４は、ケーブル保護案内部材１０によりＦＰＣを案内する状態を示す正面図である。
【００３９】
同図に実線で示すように、ケーブル保護案内部材１０によりＦＰＣが案内される際に、リンク枠体２０内の空間でＦＰＣが動いても、図２に示した挿入時と同じようにＦＰＣが傾いた状態となる可能性は低い。このため、隙間ＳからＦＰＣがはみ出る可能性は低い。また、同図に破線で示すように、挿入時と同じようにＦＰＣが傾いた状態になったとしても、ＦＰＣの端部が張出部２８ａに当たるため、ケーブル保護案内部材１０からＦＰＣが脱落する可能性は低い。しかも、ケーブル保護案内部材１０及びＦＰＣは長尺状であるため、仮に一部のリンク枠体２０内において上記のような状態になったとしても、ケーブル保護案内部材１０及びＦＰＣの全体で上記のような状態になる可能性は極めて低い。
【００４０】
ケーブル保護案内部材１０によりＦＰＣが案内される際に、ケーブル保護案内部材１０が横板２４を内周側にして屈曲した状態では、図５に示すように、内部に収容されたＦＰＣは幅方向の中央が外周側に凸となるように反り易くなる。このため、第１部分２７と第２部分２８との隙間Ｓが、ケーブル保護案内部材１０の内周側に設けられていた場合は、隙間ＳからＦＰＣの幅方向の端部がはみ出し易くなる。
【００４１】
この点、本実施形態では、第１部分２７と第２部分２８との隙間Ｓは、ケーブル保護案内部材１０が屈曲した場合の外周側に設けられている。このため、ＦＰＣの幅方向の中央が凸となる方向に、隙間Ｓが配置されることとなり、隙間ＳからＦＰＣの幅方向の端部がはみ出しにくくなる。
【００４２】
以上詳述した本実施形態は以下の利点を有する。
【００４３】
・リンク枠体２０内の空間においてリンクプレート２１，２２と横板２４とが交差する交差線Ｌ１，Ｌ２から、第１部分２７及び第２部分２８の張り出し方向の先端縁において交差線Ｌ１，Ｌ２から最も離れた所定点Ｐまでの長さが、ＦＰＣの幅Ｗ１と等しく設定されている。このため、交差線Ｌ１にＦＰＣの幅方向の一端ｅ１を当ててＦＰＣが傾いた状態において、ＦＰＣの幅方向の他端ｅ２が所定点Ｐに当たる位置となる。したがって、ＦＰＣをわずかに押し込むことにより所定点Ｐを通過させることができ、ケーブル保護案内部材１０内へＦＰＣを収納することができる。
【００４４】
・ケーブル保護案内部材１０によりＦＰＣが案内される際に、リンク枠体２０内の空間でＦＰＣが動くものの、挿入時と同じように傾いた状態にならない限り、ケーブル保護案内部材１０からＦＰＣが脱落する可能性は低い。さらに、挿入時と同じようにＦＰＣが傾いた状態になったとしても、ＦＰＣを外側へ引っ張らない限り、ケーブル保護案内部材１０からＦＰＣが脱落する可能性は低い。したがって、ケーブル保護案内部材１０の内部に収納したＦＰＣが脱落することを抑制することができる。
【００４５】
・単一形状のリンク枠体２０によりケーブル保護案内部材１０を形成することができるため、複数種類の金型を用意する必要がない。また、単一形状のリンク枠体２０を組み付ければよいため、生産性が低下したり、誤組み付けが発生したりすることを抑制することができる。したがって、ケーブル保護案内部材１０を容易に製造することができる。
【００４６】
・第２部分２８には、所定点Ｐよりも若干張り出した張出部２８ａが設けられている。このため、左リンクプレート２１と横板２４との交差線Ｌ１にＦＰＣの幅方向の一端ｅ１を当てて傾いた状態にした時に、ＦＰＣの幅方向の他端ｅ２が張出部２８ａに当たることとなる。張出部２８ａは所定点Ｐよりも若干張り出しているだけのため、張出部２８ａを越えるようにＦＰＣを押し込むことにより、ケーブル保護案内部材１０内にＦＰＣを収納することができる。さらに、ケーブル保護案内部材１０の内部に収納したＦＰＣが脱落することを、張出部２８ａにより効果的に抑制することができる。
【００４７】
・左右１対のリンクプレート２１，２２の間隔Ｗ２、すなわちリンク枠体２０内の空間の横方向の幅は、ＦＰＣの幅Ｗ１よりも若干広く設定されている。このため、ケーブル保護案内部材１０による案内に際して、ＦＰＣに長手方向の張力が作用することを抑制することができる。さらに、リンクプレート２１，２２とＦＰＣとの間に必要最低限の隙間を形成しているため、リンク枠体２０の左右方向の幅、ひいてはケーブル保護案内部材１０の左右方向の幅が広くなることを抑制することができる。
【００４８】
・左リンクプレート２１と横板２４との交差線Ｌ１にＦＰＣの幅方向の一端ｅ１を当て他端ｅ２を所定点Ｐに当てて傾いた状態にした時に、第１部分２７はＦＰＣの近傍まで張り出している。このため、隙間Ｓを必要最低限の幅にすることができ、隙間ＳからＦＰＣがはみ出すことを抑制することができる。
【００４９】
・ＦＰＣは、その他の帯状ケーブルと比較して薄く形成することができ、軽量化や小形化が可能である。このため、ＦＰＣを保護及び案内するケーブル保護案内部材１０も、軽量化や小型化が要求される。この点、単一形状のリンク枠体２０からなる簡単な構造にすることができ、軽量化や小型化が容易となる。
【００５０】
なお、上記実施形態を、以下のように変形して実施することもできる。上記実施形態と同一の部材については、同一の符号を付することにより説明を省略する。
【００５１】
・図６に示すように、左リンクプレート２１と横板２４との交差線Ｌ１にＦＰＣの幅方向の一端ｅ１を当て他端ｅ２を所定点Ｐに当てて傾いた状態にした時に、第１部分２７がＦＰＣから離れた位置まで張り出している構成を採用することもできる。詳しくは、第１部分２７の張り出す長さが、第２部分２８の張り出す長さよりも長ければよい。この場合であっても、挿入時と同じように傾いた状態にならない限り、ケーブル保護案内部材１０からＦＰＣが脱落する可能性は低い。ただし、隙間ＳからＦＰＣがはみ出すことを抑制する上では、隙間Ｓが必要最低限の幅であることが望ましい。
【００５２】
・第１部分２７と第２部分２８との長さの関係を反対にし、右リンクプレート２２と横板２４との交差線Ｌ２にＦＰＣの幅方向の一端を当てて、隙間ＳからＦＰＣを挿入してもよい。
【００５３】
・図７に示すように、左右１対のリンクプレート２１，２２の間隔Ｗ２、すなわちリンク枠体２０内の空間の横方向の幅を、ＦＰＣの幅Ｗ１よりも広めに設定することもできる。この場合であっても、挿入時と同じように傾いた状態にならない限り、ケーブル保護案内部材１０からＦＰＣが脱落する可能性は低い。ただし、リンク枠体２０の左右方向の幅が広くなることを抑制する上では、リンクプレート２１，２２の間隔Ｗ２を、ケーブル保護案内部材１０による案内に際して、ＦＰＣに長手方向の張力が作用することを抑制することのできる最低限の幅とすることが望ましい。
【００５４】
・図８，９に示すように、第２部分２８の張出部２８ａを省略することもできる。この場合は、リンク枠体２０内の空間においてリンクプレート２１，２２と横板２４とが交差する交差線Ｌ１，Ｌ２から、第１部分２７及び第２部分２８の張り出し方向の先端縁において交差線Ｌ１，Ｌ２から最も離れた所定点Ｐは、直線状に存在することとなる。詳しくは、第２部分２８の張り出し方向の先端縁において、リンク枠体２０の外側部分から交差線Ｌ１までの長さがＦＰＣの幅Ｗ１と等しく、リンク枠体２０の内側部分から交差線Ｌ１までの長さは、第２部分２８の厚みによりＦＰＣの幅Ｗ１よりも短い。この場合であっても、ＦＰＣをわずかに押し込むことにより所定点Ｐを通過させることができ、ケーブル保護案内部材１０内へＦＰＣを収納することができるとともに、ケーブル保護案内部材１０の内部に収納したＦＰＣが脱落することを抑制することができる。
【００５５】
・第１部分２７と第２部分２８との隙間Ｓを、ケーブル保護案内部材１０が屈曲した場合の内周側に設け、横板２４をケーブル保護案内部材１０の外周側に設けることもできる。
【００５６】
・ＦＰＣに代えて、複数の細いケーブルを平面状に束ねて帯状にしたフラットケーブルを採用することもできる。
【符号の説明】
【００５７】
１０…ケーブル保護案内部材、２０…リンク枠体、２１…左リンクプレート（リンクプレート）、２１ｃ…連結ピン、２１ｄ…連結ピン孔、２２…右リンクプレート（リンクプレート）、２２ｃ…連結ピン、２２ｄ…連結ピン孔、２４…横板、２７…第１部分、２８…第２部分、２８ａ…張出部。
【図１】
2015059582.tif 000003
【図２】
2015059582.tif 000004
【図３】
2015059582.tif 000005
【図４】
2015059582.tif 000006
【図５】
2015059582.tif 000007
【図６】
2015059582.tif 000008
【図７】
2015059582.tif 000009
【図８】
2015059582.tif 000010
【図９】
2015059582.tif 000011